(57)【要約】【課題】コース上のプレーヤーに対して、マンツーマンでリアルタイムに、インストラクターが指導することによって、真にプレー技量の向上に結び付くゴルフ情報提供システムおよびゴルフ情報送信方法を提供する。【解決手段】プレーヤーのプレーを撮影手段２１によって容易かつ確実に撮影でき、撮影された映像の映像情報を情報端末２がホストサーバ３に送信し、このホストサーバ３が、表示手段３３に映像を表示し、この映像を見たインストラクターによるプレーヤーへの指導内容を音声情報として、情報端末２に送信し、この情報端末２はこの音声情報を携帯端末１に送信するので、コース上のプレーヤーに対して、マンツーマンでリアルタイムに、インストラクターが指導することができ、これによって、真にプレー技量の向上に結び付く。【選択図】      図１
2004274248.tif 000002
【特許請求の範囲】
【請求項１】
ゴルフのプレーヤーによって携帯される携帯端末と、ゴルフ場を移動可能なカートに設置されて前記携帯端末と情報の授受を行う情報端末と、ゴルフ場の所定の位置に設置され、前記情報端末と情報の授受を行うホストサーバとを備えたゴルフ情報システムであって、
前記カートには、前記プレーヤーを撮影する撮影手段が前記情報端末と接続されて設けられており、
前記情報端末は、前記撮影手段によって撮影された映像の映像情報を前記ホストサーバに送信し、
このホストサーバは、前記情報端末から送信されてきた映像情報を映像表示する表示手段を有し、
前記ホストサーバは、前記表示手段に表示された映像に基づくインストラクターの指導内容を音声情報として、前記情報端末に送信し、
この情報端末はこの音声情報を前記携帯端末に送信することを特徴とするゴルフ情報システム。
【請求項２】
請求項１に記載のゴルフ情報システムにおいて、
前記携帯端末には、プレーヤーのスイングのスピードと軌道とを測定する軌道／加速度センサが設けられており、
前記携帯端末は、前記軌道／加速度センサによって測定されたスピード・軌道情報を前記情報端末に送信し、
この情報端末は、スピード・軌道情報をホストサーバに送信し、
このホストサーバは送信されてきたスピード・軌道情報を前記表示手段に表示することを特徴とするゴルフ情報システム。
【請求項３】
請求項１または請求項２に記載のゴルフ情報システムにおいて、
前記ゴルフ場の所定の位置には、コースを俯瞰して撮影可能なコース撮影手段が設けられており、
このコース撮影手段は、撮影された映像の映像情報を、ホストサーバに送信し、このホストサーバは送信されてきた映像情報を前記表示手段に映像表示することを特徴とするゴルフ情報システム。
【請求項４】
請求項１〜請求項３のいずれかに記載のゴルフ情報システムにおいて、
前記携帯端末は、プレーヤーの声を音声情報として前記情報端末に送信し、
この情報端末は前記音声情報を前記ホストサーバに送信することを特徴とするゴルフ情報システム。
【請求項５】
請求項１〜請求項４のいずれかに記載のゴルフ情報システムにおいて、
前記情報端末は前記撮影手段を制御する撮影制御手段を有しており
前記携帯端末と撮影手段とはそれぞれＧＰＳ受信機を備えており、
前記撮影制御手段は、前記携帯端末のＧＰＳ受信機による位置情報と、前記撮影手段のＧＰＳ受信機による位置情報とによって、前記撮影手段の撮影方向および焦点距離を求めることを特徴とするゴルフ情報システム。
【請求項６】
請求項１〜請求項５のいずれかに記載のゴルフ情報システムにおいて、
前記携帯端末と前記撮影手段との少なくとも一方に備えられているＧＰＳ受信機の位置情報と、この位置情報に基づいて前記情報端末によって求められたコースナンバーの情報とが、前記情報端末から前記ホストサーバに送信され、このホストサーバに前記映像情報とともに格納されることを特徴とするゴルフ情報システム。
【請求項７】
請求項１〜請求項６のいずれかに記載のゴルフ情報システムにおいて、
前記携帯端末には、前記撮影手段の撮影を開始するための撮影開始指示信号を前記撮影手段または撮影制御手段に送信する撮影開始ボタンが設けられていることを特徴とするゴルフ情報システム。
【請求項８】
請求項１〜請求項７のいずれかに記載のゴルフ情報システムにおいて、
前記携帯端末には、プレーヤーがゴルフボールを打った後に、操作する打数カウントボタンが設けられており、
前記携帯端末は、前記打数カウントボタンが操作されると、打数をカウントして記憶するとともに、前記撮影手段の撮影を停止するための撮影停止指示信号を前記撮影手段または撮影制御手段に送信することを特徴とするゴルフ情報システム。
【請求項９】
請求項８に記載のゴルフ情報システムにおいて、
前記情報端末には、前記携帯端末から送信されてきた、打数をコースごとに記憶する記憶部と、この記憶部に記憶された打数を表示または印刷する表示印刷手段とが設けられていることを特徴とするゴルフ情報システム。
【請求項１０】
請求項１〜請求項９のいずれかに記載のゴルフ情報システムにおいて、
前記情報端末は、ゴルフ場の各種設備の使用の予約を行うための予約データを、前記ホストサーバに送信する機能を有することを特徴とするゴルフ情報システム。
【請求項１１】
請求項１〜請求項１０のいずれかに記載のゴルフ情報システムにおいて、
前記情報端末は、プレーヤーの個人情報が書き込まれた情報カードから、前記個人情報を読み取り、この読み取られた個人情報を前記携帯端末に送信することを特徴とするゴルフ情報システム。
【請求項１２】
請求項１〜請求項１１のいずれかに記載のゴルフ情報システムにおいて、
前記ホストサーバは、外部端末から通信回線を介してアクセス可能であり、アクセスしてきた外部端末にホストサーバに記憶された情報を送信可能であることを特徴とするゴルフ情報システム。
【請求項１３】
ゴルフのコース上でのプレーヤーのプレーを、ゴルフ場を移動可能なカートに設置された情報端末に接続された撮影手段が撮影し、その撮影された映像の映像情報を前記情報端末がホストサーバに送信し、このホストサーバが送信されてきた前記映像情報を表示手段に映像として表示し、
次に、前記ホストサーバが、この映像を見たインストラクターによるプレーヤーへの指導内容を音声情報として、前記情報端末に送信し、この情報端末がこの音声情報を前記携帯端末に送信することを特徴とするゴルフ情報送信方法。
【請求項１４】
請求項１３に記載のゴルフ情報送信方法をコンピュータに実行させるためのプログラム。
【請求項１５】
請求項１３に記載のゴルフ情報送信方法を実行させるためのプログラムが記録されていることを特徴とするコンピュータ読み取り可能な記録媒体。
【発明の詳細な説明】
【０００１】
【発明の属する技術分野】
本発明は、ゴルフ場において、プレーヤーに対して技術指導および技量向上のための情報を提供できるゴルフ情報システムおよびゴルフ情報送信方法に関する。
【０００２】
【従来の技術】
ゴルフ場において、ビジター等が初めてのゴルフコースでプレーする場合、予め調べてきたコース情報、現地で得られるキャディーのアドバイス等によりコース状況を把握してプレーを開始する。その場合、与えられる情報は一般に不十分であるため、特に初心者では不本意な成績に終わることがある。
そこで、例えば特許文献１には、携帯端末装置とビデオカメラ、センサを使った、プレーヤーへのプレー支援情報、技量向上支援情報を提供するゴルフ情報システムが開示されている。
【０００３】
【特許文献１】
特開平９−２３９０８９号公報
【０００４】
【発明が解決しようとする課題】
しかしながら、上記ゴルフ情報システムでは、プレーヤーに提供される情報は、打数、ボールの飛距離・方向、気象条件、プレーの映像などであり、いずれも各装置が無くても、ある程度の経験者であれば知り得る（経験と感覚で察知する）情報であって、さらに言えばプレー映像も同伴者がビデオカメラで撮影が可能である。
【０００５】
一方で、例えば、気温２０度、湿度６０％、気圧２００ヘクトパスカル、風向北北西、風速１０メートル／秒、飛距離１００ヤードという情報を得たところで、ベテランプレーヤーであれば従来、勘で判断し、プレーを調整している部分であり、それを正確なデジタル情報で得たところで、プレーの調整は困難である。ましてや、初心者にしてみれば、そもそもそのような情報の意味することすら判断できない。
ゴルフにおいては、各人の体型、体力、経験、性格等が千差万別であり、上記のような情報を得ても、技量向上には有効ではない。
【０００６】
本発明は、上記事情に鑑みてなされたもので、コース上のプレーヤーに対して、マンツーマンでリアルタイムに、インストラクターが指導することによって、真にプレー技量の向上に結び付くゴルフ情報提供システムおよびゴルフ情報送信方法を提供することを目的とする。
【０００７】
【課題を解決するための手段】
上記課題を解決するために、請求項１に記載の発明は、ゴルフのプレーヤーによって携帯される携帯端末と、ゴルフ場を移動可能なカートに設置されて前記携帯端末と情報の授受を行う情報端末と、ゴルフ場の所定の位置に設置され、前記情報端末と情報の授受を行うホストサーバとを備えたゴルフ情報システムであって、
前記カートには、前記プレーヤーを撮影する撮影手段が前記情報端末と接続されて設けられており、
前記情報端末は、前記撮影手段によって撮影された映像の映像情報を前記ホストサーバに送信し、
このホストサーバは、前記情報端末から送信されてきた映像情報を映像表示する表示手段を有し、
前記ホストサーバは、前記表示手段に表示された映像に基づくインストラクターの指導内容を音声情報として、前記情報端末に送信し、
この情報端末はこの音声情報を前記携帯端末に送信することを特徴とする。
【０００８】
ここで、前記携帯端末は、リストバンドのようなものに取り付けることで、プレーヤーが携帯するのが望ましいが、ベルトやタオル等に取り付けることで携帯してもよい。
また、携帯端末と情報端末との間の情報の授受、情報端末とホストサーバとの間の情報の授受は無線で行う。
撮影手段は、情報端末と接続されていれば、カートから取り外し可能としてもよい。また、接続の形式は有線、無線のいずれであってもよい。
また、ホストサーバは、表示手段に映像情報を表示するとともに、この映像情報を格納する。
携帯端末は音声情報を音声として発するスピーカを備える。
【０００９】
請求項１に記載の発明においては、プレーヤーがコース上でゴルフボールを打つ前に素振りをし、この素振りをしているプレーヤーを、撮影手段が撮影する。カートはプレーヤーとともにコース上を移動し、常にプレーヤーの近くにあるので、このカートに設けられた撮影手段によってプレーヤーを容易かつ確実に撮影できる。そして、撮影された映像の映像情報を情報端末がホストサーバに送信する。このホストサーバは、表示手段に映像を表示する。さらにホストサーバは、この映像を見たインストラクターによるプレーヤーへの指導内容（もっとフォロースルーを大きく……等）を音声情報として、前記情報端末に送信し、この情報端末はこの音声情報を前記携帯端末に送信する。
したがって、コース上のプレーヤーに対して、マンツーマンでリアルタイムに、インストラクターが指導することができ、これによって、真にプレー技量の向上に結び付く。
【００１０】
請求項２に記載の発明は、請求項１に記載のゴルフ情報システムにおいて、
前記携帯端末には、プレーヤーのスイングのスピードと軌道とを測定する軌道／加速度センサが設けられており、
前記携帯端末は、前記軌道／加速度センサによって測定されたスピード・軌道情報を前記情報端末に送信し、
この情報端末は、スピード・軌道情報をホストサーバに送信し、
このホストサーバは送信されてきたスピード・軌道情報を前記表示手段に表示することを特徴とする。
【００１１】
軌道／加速度センサは、プレーヤーのスイングのスピードと軌道とを測定するものであるので、携帯端末はリストバンド等によってプレーヤーの手首等に装着するのが望ましい。
【００１２】
請求項２に記載の発明においては、ホストサーバは送信されてきたスピード・軌道情報を表示手段に表示するので、インストラクターはプレーヤーの素振りの映像とともに、スイングのスピードと軌道の情報を得ることができるので、ホストサーバは、インストラクターのより的確な指導内容を音声情報として携帯端末に送信できる。
【００１３】
請求項３に記載の発明は、請求項１または請求項２に記載のゴルフ情報システムにおいて、
前記ゴルフ場の所定の位置には、コースを俯瞰して撮影可能なコース撮影手段が設けられており、
このコース撮影手段は、撮影された映像の映像情報を、ホストサーバに送信し、このホストサーバは送信されてきた映像情報を前記表示手段に映像表示することを特徴とする。
【００１４】
前記コース撮影手段は、例えばコース上に鉄塔を構築し、この鉄塔上に設置すればよい。また、コース撮影手段は、コースごとに設けるが、ロングホール等のコースの場合は、複数設けるのが望ましい。
【００１５】
請求項３に記載の発明においては、プレーヤーが打ったゴルフボールの弾道をコース撮影手段によって撮影し、この撮影手段が撮影された映像の映像情報を、ホストサーバに送信し、このホストサーバは送信されてきた映像情報を前記表示手段に映像表示するので、インストラクターはプレーヤーが打ったゴルフボールの軌道を知ることができる。したがって、ホストサーバは、インストラクターによる事後評価を音声情報として、前記情報端末に送信でき、この情報端末はこの音声情報を前記携帯端末に送信できる。したがって、プレーヤーはインストラクターによるプレーの事後評価をリアルタイムで知ることができ、さらなるプレー技量の向上に結び付く。
【００１６】
請求項４に記載の発明は、請求項１〜請求項３のいずれかに記載のゴルフ情報システムにおいて、
前記携帯端末は、プレーヤーの声を音声情報として前記情報端末に送信し、
この情報端末は前記音声情報を前記ホストサーバに送信することを特徴とする。
【００１７】
ホストサーバは音声情報を音声として発するスピーカを備える。
【００１８】
請求項４に記載の発明においては、プレーヤーの声を携帯端末から情報端末を介してホストサーバに送信できるので、プレーヤーはインストラクターに質問でき、さらなるプレー技量の向上に結び付く。
【００１９】
請求項５に記載の発明は、請求項１〜請求項４のいずれかに記載のゴルフ情報システムにおいて、
前記情報端末は前記撮影手段を制御する撮影制御手段を有しており
前記携帯端末と撮影手段とはそれぞれＧＰＳ受信機を備えており、
前記撮影制御手段は、前記携帯端末のＧＰＳ受信機による位置情報と、前記撮影手段のＧＰＳ受信機による位置情報とによって、前記撮影手段の撮影方向および焦点距離を求めることを特徴とする。
【００２０】
請求項５に記載の発明においては、撮影制御手段が、前記携帯端末のＧＰＳ受信機による位置情報と、前記撮影手段のＧＰＳ受信機による位置情報とによって、撮影手段の撮影方向および焦点距離を求めるので、つまり、プレーヤーの位置と、撮影手段の位置によって、撮影手段の撮影方向および焦点距離を求めるので、撮影手段によってプレーヤーを容易かつ鮮明に自動で撮影できる。
【００２１】
請求項６に記載の発明は、請求項１〜請求項５のいずれかに記載のゴルフ情報システムにおいて、
前記携帯端末と前記撮影手段との少なくとも一方に備えられているＧＰＳ受信機の位置情報と、この位置情報に基づいて前記情報端末によって求められたコースナンバーの情報とが、前記情報端末から前記ホストサーバに送信され、このホストサーバに前記映像情報とともに格納されることを特徴とする。
【００２２】
なお、上記のような情報は、プレーヤーの顧客コードと対応付けられて格納される。また、ホストサーバに格納された情報は、前記表示手段に表示させることもでき、さらには、ホストサーバにアクセスしてきた外部端末に表示させることもできるようになっている。
【００２３】
請求項６に記載の発明においては、ホストサーバに、ＧＰＳ受信機の位置情報に基づくプレーヤーの位置情報と、コースナンバーの情報と、プレーヤーがその位置でプレーした映像の映像情報が格納されるので、プレー後にホストサーバ側でこれら情報を確認でき、プレー後にもプレーの分析が行うことができる。
【００２４】
請求項７に記載の発明は、請求項１〜請求項６のいずれかに記載のゴルフ情報システムにおいて、
前記携帯端末には、前記撮影手段の撮影を開始するための撮影開始指示信号を前記撮影手段または撮影制御手段に送信する撮影開始ボタンが設けられていることを特徴とする。
【００２５】
この場合、撮影開始ボタンを操作したときに、携帯端末のＧＰＳ受信機による位置情報と、前記撮影手段のＧＰＳ受信機による位置情報とによって、前記撮影手段の撮影方向および焦点距離を求めるように設定するのが望ましい。
【００２６】
請求項７に記載の発明においては、携帯端末に撮影開始ボタンが設けられているので、プレーヤーが撮影を開始したいときに、すぐに撮影手段による撮影が行うことができる。
【００２７】
請求項８に記載の発明は、請求項１〜請求項７のいずれかに記載のゴルフ情報システムにおいて、
前記携帯端末には、プレーヤーがゴルフボールを打った後に、操作する打数カウントボタンが設けられており、
前記携帯端末は、前記打数カウントボタンが操作されると、打数をカウントして記憶するとともに、前記撮影手段の撮影を停止するための撮影停止指示信号を前記撮影手段または撮影制御手段に送信することを特徴とする。
【００２８】
ここで、携帯端末に記憶された打数は、携帯端末から情報端末に送信され、この情報端末でも記憶させるのが好ましい。また、携帯端末には、打数等の情報を表示させる表示部を設けておく。
【００２９】
請求項８に記載の発明においては、プレーヤーが打数カウントボタンを操作することによって、携帯端末に打数が記憶されるので、プレーヤーはコースでの打数を携帯端末で容易に確認できる。また、打数カウントボタンを操作することによって、撮影手段の撮影が停止するので、プレー以外の撮影を確実に防止できる。
【００３０】
請求項９に記載の発明は、請求項８に記載のゴルフ情報システムにおいて、
前記情報端末には、前記携帯端末から送信されてきた、打数をコースごとに記憶する記憶部と、この記憶部に記憶された打数を表示または印刷する表示印刷手段とが設けられていることを特徴とする。
【００３１】
なお、前記記憶部に記憶された打数は、情報端末からプレーヤーの顧客コードに対応付けられてホストサーバに送信され、このホストサーバで記憶されるようにするのが望ましい。
【００３２】
請求項９に記載の発明においては、情報端末の表示印刷手段によって、コースごとの打数を表示または印刷できるので、プレーの途中で、スコアカードを表示または印刷でき、プレーの確認に役立つ。
【００３３】
請求項１０に記載の発明は、請求項１〜請求項９のいずれかに記載のゴルフ情報システムにおいて、
前記情報端末は、ゴルフ場の各種設備の使用の予約を行うための予約データを、前記ホストサーバに送信する機能を有することを特徴とする。
【００３４】
請求項１０に記載の発明においては、カートに設置された情報端末から、ホストサーバに、各種設備の使用の予約を行うための予約データを送信することによって、プレー中に例えば、昼食の予約、宴会の予約などを容易に行うことができる。
【００３５】
請求項１１に記載の発明は、請求項１〜請求項１０のいずれかに記載のゴルフ情報システムにおいて、
前記情報端末は、プレーヤーの個人情報が書き込まれた情報カードから、前記個人情報を読み取り、この読み取られた個人情報を前記携帯端末に送信することを特徴とする。
【００３６】
ここで、情報カードとしては、例えば、そのゴルフ場専用のＩＣカード、磁気カードが挙げられるが、これに限ることなく、クレジットカード等でもよい。
【００３７】
請求項１１に記載の発明においては、情報端末が、情報カードから読み取られた個人情報を前記携帯端末に送信するので、携帯端末と個人情報（例えば顧客コード）とが結びつけられ、これによって、携帯端末から情報端末およびこの情報端末を介してホストサーバに送信する情報が、誰からの情報であるかを容易に確認できる。
【００３８】
請求項１２に記載の発明は、請求項１〜請求項１１のいずれかに記載のゴルフ情報システムにおいて、
前記ホストサーバは、外部端末から通信回線を介してアクセス可能であり、アクセスしてきた外部端末にホストサーバに記憶された情報を送信可能であることを特徴とする。
【００３９】
ここで、外部端末としては、ブラウザ機能を備え、インターネット等の通信回線にアクセス可能なコンピュータや携帯電話、さらにはカーナビゲーションシステムであってもよい。
【００４０】
請求項１２に記載の発明においては、ホストサーバにアクセスしてきた外部端末にホストサーバに記憶された情報を送信することによって、例えば、プレーヤーのプレー情報（プレー履歴等）をゴルフ場以外の外部で容易に確認でき、プレー後の分析に役立つ。
【００４１】
請求項１３に記載のゴルフ情報送信方法は、ゴルフのコース上でのプレーヤーのプレーを、ゴルフ場を移動可能なカートに設置された情報端末に接続された撮影手段が撮影し、その撮影された映像の映像情報を情報端末がホストサーバに送信し、このホストサーバが送信されてきた映像情報を表示手段に映像として表示し、
次に、ホストサーバが、この映像を見たインストラクターによるプレーヤーへの指導内容を音声情報として、前記情報端末に送信し、この情報端末がこの音声情報を前記携帯端末に送信することを特徴とする。
【００４２】
請求項１３に記載の発明においては、プレーヤーのプレーが撮影手段によって撮影され、その映像が情報端末からホストサーバに送信されて、表示手段に表示され、さらに、インストラクターによる指導内容がホストサーバから情報端末を経由して携帯端末に送信されるので、コース上のプレーヤーに対して、マンツーマンでリアルタイムに、インストラクターが指導することができ、これによって、真にプレー技量の向上に結び付く。
【００４３】
請求項１４に記載の発明は、請求項１３に記載のゴルフ情報送信方法をコンピュータに実行させるためのプログラムである。
なお、このコンピュータは、ホストサーバであってもよいし、ホストサーバ以外のコンピュータであってもよい。
コンピュータがホストサーバであることが望ましく、この場合、プログラムはホストサーバのハードディスク等の記録装置に書き込まれる。プログラムは、ＣＤ−ＲＯＭ  ＤＶＤ−ＲＯＭ等の記録媒体を介してハードディスク等の記録装置に書き込んでもよいし、ウエブサーバ等に格納されているプログラムをインターネット等の電気通信回線を介してハードディスク等の記録装置に書き込んでもよい。
【００４４】
請求項１４に記載の発明においては、請求項１３に記載のゴルフ情報送信方法をコンピュータによって実行することができる。
【００４５】
請求項１５に記載の発明は、請求項１３に記載のゴルフ情報送信方法を実行させるためのプログラムが記録されているコンピュータ読み取り可能な記録媒体である。
【００４６】
請求項１５に記載の発明においては、請求項１３に記載のゴルフ情報送信方法をコンピュータによって実行することができる。
【００４７】
【発明の実施の形態】
以下、図面を参照して本発明の実施の形態について説明する。
図１〜図３は本発明に係るゴルフ情報システムの一例を示すブロック図であり、図１は携帯端末のブロック図、図２は情報端末のブロック図、図３はホストサーバのブロック図である。
本発明に係るゴルフ情報システムは、ゴルフのプレーヤーによって携帯される携帯端末１と、ゴルフ場を移動可能なカートに設置されて携帯端末１と情報の授受を行う情報端末２と、ゴルフ場の所定の位置に設置され、情報端末２と情報の授受を行うホストサーバ３とを備えている。
【００４８】
図１に示すように、携帯端末１は、液晶表示部４、キー操作部５、ＧＰＳ受信機６、音声入力手段７、軌道／加速度センサ８、撮影開始ボタン９、通信手段１０、音声再生手段１１、打数カウントボタン１２を備えている。
携帯端末１には、図示は省略するが、リストバンドが取り付けられており、これによって、携帯端末１がプレーヤーの手首に装着される。
液晶表示部４は、キー操作部５から入力された文字、記号等を表示したり、キー操作による処理結果、曜日日付け、コースナンバー等を表示する。
キー操作部５は、図示は省略するが、テンキーと文字キーとが一緒になったキーを備えている。
ＧＰＳ受信機６はＧＰＳ衛星からのＧＰＳ信号を受信して携帯端末の位置を測位するものであり、これによってプレーヤーの位置が測位され、その結果は液晶表示部４に表示できるようになっている。
【００４９】
音声入力手段７は、プレーヤーの音声が入力されるマイクであり、この音声入力手段７に入力された音声は、携帯端末内で音声信号（音声情報）に変換されたうえで、通信手段１０によって無線で情報端末２に送信される。軌道／加速度センサ８は、プレーヤーのゴルフクラブのスイングの軌道や速度を測定するものであり、測定された結果は通信手段１０によって情報端末２に送信される。
【００５０】
撮影開始ボタン９は、情報端末２に接続されている撮影手段２１による撮影を開始するための撮影開始指示信号を送信するものであり、この撮影開始指示信号は携帯端末１の通信手段１０から情報端末２の通信手段２３に送信され、この通信手段２３から撮影制御手段２２を介して撮影手段２３に入力される。また、撮影開始ボタン９を操作すると、ＧＰＳ受信機６で測位された位置情報が通信手段１０によって情報端末２の通信手段２３に送信され、この通信手段２３から撮影制御手段２２に入力される。
【００５１】
音声再生手段１１は、例えば携帯端末１と接続されている無線式のイヤホンであり、ホストサーバ３から情報端末２を介して携帯端末に送信されてきた音声信号が音声として発せられる。
打数カウントボタン１２は、プレーヤーがゴルフボールを打った後に操作されるものであり、この打数カウントボタン１２が操作されると、携帯端末１は、打数をカウントして記憶するとともに、撮影手段２１の撮影を停止するための撮影停止指示信号を情報端末２の通信手段２３に送信し、この送信手段２３から撮影制御手段２２を介して撮影手段２１に入力する。また、カウントされた打数の情報は通信手段２０から情報端末２の通信手段２３に送信され、情報端末２の記憶部２４に記憶される。
【００５２】
図２に示すように、情報端末２に接続されている撮影手段２１は、プレーヤーを撮影するものであり、例えばデジタルビデオカメラ等で構成されている。この撮影手段２１はゴルフ場を移動可能なカートに固定的に設置されていてもよいし、カートから取り外せるように設置されていてもよい。取り外せるように設置されている撮影手段２１の場合、その映像情報（映像信号）や、この撮影手段２１を制御するための撮影制御手段２２から制御信号は、通信手段２３を介して撮影手段２１と無線で送受信する。カートに固定的に設置されている撮影手段２１の場合、撮影制御手段２２とは有線で直接接続する。
【００５３】
撮影制御手段２２は、撮影手段２１に撮影開始指示信号や撮影停止指示信号を入力するほか、携帯端末１のＧＰＳ受信機６による位置情報と、情報端末２に設けられた撮影手段用のＧＰＳ受信機２４による位置情報とによって、撮影手段２１の撮影方向および焦点距離を求め、その後、撮影手段２１に撮影開始指示信号を入力する。そして、撮影手段２１によって撮影された映像の映像情報（映像信号）は、通信手段２３からホストサーバ３に送信され、このホストサーバ３のデータベース３２に格納される。
【００５４】
また、ＧＰＳ受信機６またはＧＰＳ受信機２４による位置情報によって、プレーヤーの位置が分かる。一方、情報端末２の記憶部２５に、ゴルフ場のコースの地図情報が記憶させておくことによって、前記プレーヤーの位置情報からプレーヤーがいるコースが分かる。したがって、このコースのコースナンバーとプレーヤーの位置情報も通信手段２３からホストサーバ３の通信手段３１に送信され、データベース３２に格納される。そして、データベース３２では、前記映像情報、コースナンバー、プレーヤーのコース上の位置情報、プレーヤーの顧客コードが対応付けられて格納される。
【００５５】
また、情報端末２の記憶部２５には、携帯端末１から送信されてきた、打数がコースごとに記憶され、この記憶された打数は印刷表示手段２６によって表示または印刷できるようになっている。印刷表示手段２６は、例えば、液晶表示装置とプリンタとから構成され、記憶部２５に記憶された打数は、コースごとに表示し、または印刷する。この場合、キー操作部２７によって記憶部２５から打数をコースごとに呼び出して印刷表示手段２６に表示または印刷する。
【００５６】
さらに、情報端末２には情報読取書込手段２８が設けられている。この情報読取手段２８は、プレーヤーの個人情報が書き込まれた情報カードから、個人情報を読み取るものであり、この情報読取書込手段２８によって読み取られた個人情報は通信手段２３から携帯端末１とホストサーバ３に送信される。情報カードとしては例えばＩＣカードを使用する。この情報カードには、例えば、プレーヤーの顧客コードや氏名、住所、職業、電話番号等の個人情報が予め書き込まれており、さらにこれらの情報に加えて、プレーヤーがプレーした日時、コースナンバー、成績等が情報読取書込手段２８によって書き込まれる。
【００５７】
そして、プレーヤーは、プレーの前に情報読取書込手段２８に情報カードを読み込ませることによって、情報端末２にプレーヤーの顧客コードを認識させるとともに、情報端末２のキー操作部２７から携帯端末１の番号を入力する。すると、その番号の携帯端末１に顧客コードが送信され、この顧客コードが携帯端末１で認識される。これによって、プレーヤーの顧客コードと携帯端末１とを紐付け、携帯端末１が確かにその顧客コードを有するプレーヤーによって使用されることを確定できる。また、携帯端末１から情報端末２およびこの情報端末２を介してホストサーバ３に送信する情報が、誰からの情報であるかを容易に確認できる。
【００５８】
また、情報端末２は、ゴルフ場の各種設備（例えばレストラン、会議室、宴会場、浴場）の使用の予約を行うための予約データをホストサーバ３に送信する機能を備えている。予約データは、キー操作部２７から入力し、この入力した予約データは記憶部２５に記憶されるとともに、通信手段２３からホストサーバ３に送信され、ホストサーバ３のデータベース３２に格納される。
【００５９】
前記ホストサーバ３は、図３に示すように、例えば、ゴルフ場のクラブハウスに設置されて、ゴルフ場を使用する際の予約、解約のために外部との間で情報の授受を行ったり、ゴルフ場の各種施設との間で情報の授受を行うサーバであり、液晶表示装置やＣＲＴ等の表示手段３３、データベース３２、音声入力手段３３、音声再生手段３４、通信手段３１等を備えている。
【００６０】
表示手段３３には、前記撮影手段２１によって撮影された映像が表示される。この映像は例えばプレーヤーの技量指導を行うインストラクターが見る。撮影手段２１によって撮影された映像の映像情報（映像信号）は情報端末２の通信手段２３によってホストサーバ３の通信手段３１に送信されて、表示手段３３に映像として表示される。なお、映像情報は、コースナンバー、プレーヤーのコース上の位置情報、プレーヤーの顧客コードに対応付けられてデータベース３２に格納される。表示手段３３は複数あり、それらはインストラクター専用のブースにそれぞれ設置されている。なお、表示手段３３は４画面程度のマルチ画面となっている。
【００６１】
音声入力手段３５は、インストラクターの音声が入力されるヘッドセット型のマイクであり、この音声入力手段３５に入力された音声は、ホストサーバ３で音声信号（音声情報）に変換されたうえで、通信手段３４によって無線で情報端末２に送信され、さらに、この情報端末２の通信手段２３から携帯端末１に送信され、音声再生手段１１から音声として発せられる。したがって、インストラクターは表示手段３３でプレーヤーのプレー映像を確認したうえで、指導内容を音声情報としてリアルタイムでプレーヤーの携帯端末に送信できる。また、音声入力手段３５に入力された音声情報は、データベース３に格納される。また、音声入力手段３５は複数あり、それらはインストラクター専用のブースにそれぞれ設置されている。
【００６２】
音声再生手段３４は、例えばホストサーバ３に有線または無線で接続されているイヤホンであり、携帯端末１から情報端末２を介してホストサーバ３に送信されてきたプレーヤーの音声信号が音声として発せられる。したがって、プレーヤーはリアルタイムでインストラクターにプレーについての質問を行うことができる。また、インストラクターはこの質問に対しては、前記音声入力手段３３から行うことができる。
【００６３】
ホストサーバ３のデータベース３２には、図４に示すように、動画情報データベース３２ａ、コース画像データベース３２ｂ、コース情報データベース３２ｃ、指導音声情報データベース３２ｄ、指導マスターデータベース３２ｅ等の各データベースがある。
動画情報データベース３２ａは、撮影手段２２によって撮影されたプレーヤーの映像、つまり動画のデータベースであり、顧客コード、コースナンバー（コースＮＯ）、撮影日（録画日）、録画ナンバー（録画ＮＯ）、動画映像が対応付けられて格納されている。
【００６４】
コース画像データベース３２ｂは、ゴルフ場のそれぞれのコースのコース全体が航空写真や、ホストサーバ３に接続されたコース撮影手段４０によって撮影された映像、さらにはコースを描画した画像のデータベースであり、コースナンバー（コースＮＯ）、画像が対応付けられて格納されている。
コース情報データベース３２ｃは、各コースの情報のデータベースであり、コースナンバー（コースＮＯ）、コースの標準打数（パー４など）、コースの距離、等が対応付けられて格納されている。
【００６５】
指導音声情報データベース３２ｄは、インストラクターがプレーヤーを指導するために、ホストサーバ３の音声入力手段３４に入力した音声情報のデータベースであり、プレーヤーの顧客コード、コースナンバー（コースＮＯ）、入力日（録音日）、録音ナンバー（録音ＮＯ）、音声情報等が対応付けられて格納されている。
指導マスターデータベース３２ｅは、インストラクターがプレーヤーに指導した際の指導情報のデータベースであり、プレーヤーの顧客コード（顧客ＮＯ）、指導日、指導時間、コースナンバー（コースＮＯ）、コース上での録画位置、録画ナンバー（録画ＮＯ）、録音ナンバー（録音ＮＯ）等が対応付けられて格納されている。
【００６６】
前記コース撮影手段４０は、コースを俯瞰して撮影可能なもので、例えば、デジタルビデオカメラ等によって構成されている。このコース撮影手段４０は、コースを俯瞰するために、例えば、図５に示すように、コース上に立設された鉄塔４１に取り付けられている。このコース撮影手段４０は、ある一方向を撮影できるような固定的なものであってもよいし、撮影方向を変更可能な首振り型のものであってもよい。
このコース撮影手段４０は、撮影された映像の映像情報を、ホストサーバ３に送信し、このホストサーバ３は送信されてきた映像情報を表示手段３３に映像表示できるようになっている。
【００６７】
また、前記ホストサーバ３は、通信手段３１を介してインターネットＮに接続されており、外部端末４３，４３はインターネットＮを介してホストサーバ３にアクセス可能である。そして、ホストサーバ３は、アクセスしてきた外部端末４３，４３にその要求にしたがって、データベース３２に格納されている各種情報を送信可能となっている。外部端末４３としては、例えば、プレーヤーの自宅や会社のパーソナルコンピュータ、ＰＤＡ、携帯電話、さらにはカーナビゲーションシステム等が挙げられる。また、ホストサーバ３には、クラブハウス内に設置された内部端末４４が接続されており、この内部端末４４からホストサーバ３にアクセスして、データベース３２に格納されている各種情報を内部端末４４でも閲覧できるようになっている。
【００６８】
次に、上記構成のゴルフ情報システムの使用方法について説明する。
まず、プレーヤーは、希望のインストラクターを予約する。予約方法は、プレーの予約時点でもよいし、ゴルフ場のクラブハウスへのチェックイン時点でもよい。インターネット予約であれば、外部端末４３からインターネットＮを介してホストサーバ３にアクセスして、そのデータベース３２に格納されている複数のインストラクターの経歴等の情報を、外部端末４３に表示させ、希望のインストラクターを選択する方法でもよい。また、プレーをする一組のメンバーがそれぞれ異なってインストラクターを指定しもよいし、同じインストラクターを指定してもよい。異なったインストラクターを指定した場合、他のメンバーに気兼ねすることなく、自分の特性にあったインストラクターを選択できる。
【００６９】
なお、インストラクターの経歴等の情報としては、例えば、インストラクターの氏名、写真（顔写真）、ゴルフの戦績、自己アピール（「ドライバーの使い方の指導は得意です。」など）、予約状況などが挙げられ、これら情報がホストサーバ３のデータベース３２に予め登録されており、アクセスしてきた外部端末４３や内部端末４４に表示させる。
【００７０】
プレーヤーは、各種サービスを利用するために、プレーの前に、カートに設置されている情報端末２の情報カード読取書込手段２８に、自分の情報カードを読み込ませる。その際、情報カードの顧客コードと携帯端末１を紐付けるために、携帯端末１の番号（１〜４）を選択させる。
【００７１】
次に、インストラクターに指導を受けたいプレーヤーは、まず携帯端末１の指導ボタンを押下する。すると、その信号が顧客コードとともに、情報端末２を経由してホストサーバ３に送信される。ホストサーバ３では、当日の、当該顧客のインストラクターの予約テーブルから、インストラクターを選択し、当該インストラクター専用ブース内の、表示手段３３に映像を表示可能な状態とする。
【００７２】
そして、プレーヤーはコース上でゴルフボールを打つ前に、携帯端末１の撮影開始ボタン９を押下する。すると、撮影開始指示信号と携帯端末１のＧＰＳ受信機６による位置情報が、通信手段１０によって情報端末２に送信され、撮影制御手段２２に入力される。一方、情報端末２に設けられた撮影手段用のＧＰＳ受信機２４による位置情報も撮影制御手段２２に入力される。そして、この撮影制御手段２２では、ＧＰＳ受信機６による位置情報つまりプレーヤーの位置情報と、ＧＰＳ受信機２４による位置情報つまり撮影手段２１の位置情報とから、撮影手段２１の撮影方向と焦点距離を算出し、プレーヤーを撮影し始める。
その映像情報（映像信号）は、コースＮＯ、コース上の位置情報とともに、情報端末２の通信手段２３から、ホストサーバ３に送信され、ホストサーバ３のデータベース３２に格納されともに、映像情報がインストラクター専用ブース内の表示手段３３に映像として表示される。
【００７３】
プレーヤーは、ゴルフボールを打つ前に素振りを行う。この素振りの映像が撮影手段２１によって撮影され、その映像情報が情報端末２の通信手段２３からホストサーバ３に送信され、その表示手段３３に映像として表示される。インストラクターは、その映像を見て、音声入力手段３５に指導内容を音声として入力する（もっとフォロースルーを大きくなど）。すると、その音声情報が通信手段３１から情報端末２を経由して、携帯端末１に送信され、その音声再生手段１１から音声として発せられる。また、携帯端末１は、軌道／加速度センサ８によって測定されたプレーヤーのスイングのスピード・軌道情報を情報端末２を介してホストサーバ３に送信し、ホストサーバ３は、送信されてきたスピード・軌道情報を表示手段３３に表示するので、インストラクターはプレーヤーの素振りの映像とともに、スイングのスピードと軌道の情報を得ることができるので、ホストサーバ３は、インストラクターのより的確な指導内容を音声情報として携帯端末１に送信できる。
【００７４】
したがって、プレーヤーはインストラクターからリアルタイムで的確な指導を受けることができる。なお、このような指導内容は音声情報としてホストサーバ３のデータベース３２に格納されるので、継続的にコースにきてインストラクターの指導を受けているプレーヤーであれば、インストラクターは予めその過去の指導内容をホストサーバ３で確認でき、過去の状態を参考にしてより密な指導ができる。特に、前回の同コースの、同ポイントでの映像も表示手段３３に表示できるので、インストラクターの指導に役立つ。
【００７５】
プレーヤーは素振りの後、ゴルフボールを打つが、これも撮影手段２１によって撮影されて、その映像情報がホストサーバ３に送信され、素振りのときと同様に、その映像情報が情報端末２の通信手段２３からホストサーバ３に送信され、その表示手段３３に映像として表示される。
【００７６】
ゴルフボールを打ち終えたら、携帯端末１の打数カウントボタン１２を押下する。すると、携帯端末１は、打数をカウントして記憶するとともに、通信手段１０から情報端末２に撮影停止指示データが送信され、撮影制御手段２２に入力され、これによって、撮影手段２１による撮影を停止する。また、打数は情報端末２に送信され、その記憶部２５に記憶される。そして、プレーヤーがプレーの途中でスコアカードを表示したい場合は、情報端末２のキー操作部２７を操作して、記憶部２５に記憶されている打数の情報を印刷表示手段２６に表示させるか、あるいはスコアカードに印刷する。
【００７７】
また、プレーヤーは、携帯端末１の音声入力手段７に、質問を音声入力することによって、この音声の音声情報（音声信号）が通信手段１０から情報端末２を経由して、ホストサーバ３に送信され、音声再生手段３４から音声として発生される。したがって、プレーヤーはプレーの途中でインストラクターに質問したり、事後評価の希望を伝えることもできる。インストラクターは、ホストサーバ３の音声入力手段３５に質問の回答や事後評価を音声入力する。この際、コース撮影手段４０によってコースを俯瞰しているので、プレーヤーが打ったゴルフボールの弾道を撮影して、これを表示手段３３に表示できるので、インストラクターはゴルフボールの軌道に対する指導も行うことができる。この場合、コース撮影手段４０は、撮影された映像の映像情報を、ホストサーバ３に送信し、このホストサーバ３は送信されてきた映像情報を表示手段３３に表示する。
さらに、インストラクターはプレーヤーのスイングのスピードと軌道の情報を得ることができるので、これに基づいた指導も行うことができる。
【００７８】
そして、プレーヤーはコース上で次々にゴルフボールをグリーンに向けて打って行き、必要があれば上記と同様にして、インストラクターの指導を受けられる。また、プレーの途中で、コースの混雑度合いを知りたい場合には、各コースに設置されているコース撮影手段４０によって撮影された所望のコースの映像を情報端末２の印刷表示手段２６に表示さることによって、知ることができる。この場合、コース撮影手段４０は、撮影された映像の映像情報を、ホストサーバ３に送信し、このホストサーバ３の通信手段３１から情報端末２に送信し、送信されてきた映像情報を印刷表示手段２６に表示する。
【００７９】
また、プレーの途中で、カートに設置された情報端末２から、ホストサーバ１に、レストラン、会議室、宴会場、浴場等の各種設備の使用の予約を行うための予約データを送信することによって、プレー中に例えば、昼食の予約、宴会の予約などを容易に行うことができる。
【００８０】
また、ゴルフ場でのプレーが終了した後、自宅にあるパーソナルコンピュータ等の外部端末４３からインターネットＮを介してホストサーバ３にアクセスすることによって、ホストサーバ３は、アクセスしてきた外部端末４３にその要求にしたがって、データベース３２に格納されている各種情報を送信する。したがって、プレーヤー（顧客）は、プレー後においても、プレー内容を映像、音声等によって確認することができ、プレー後の自己分析に役立つ。なお、外部端末４３によってホストサーバ３にアクセスすると、外部端末４３には顧客コードに対応付けられている、指導履歴一覧（利用日）が表示され、コースを選択すると図６に示すような画像がコース情報と一緒に表示される。図６において、コース上の、「●」マークは撮影手段２１による録画ポイント（撮影ポイント）である。このポイントをクリックすると、外部端末４３に映像とインストラクターの指導音声が再生される。なお、外部端末４３意外でもクラブハウス内に設置されている内部端末４４からイントラネットを介してホストサーバ３にアクセスしても同様の映像、音声を再生できる。
【００８１】
上記のようなゴルフの情報の送信は、ホストサーバ３に格納されている情報送信プログラムによって、ホストサーバ３が実行する。つまり、情報送信プログラムによって、ホストサーバ３が、情報端末２、撮影制御手段２２等の制御を行うことよって、情報の送信を行う。
【００８２】
このように本実施の形態のゴルフ情報システムによれば、プレーヤーのプレーを撮影手段２１によって容易かつ確実に撮影でき、撮影された映像の映像情報を情報端末２がホストサーバ３に送信する。このホストサーバ３は、表示手段３３に映像を表示し、この映像を見たインストラクターによるプレーヤーへの指導内容（もっとフォロースルーを大きく……等）を音声情報として、情報端末２に送信し、この情報端末２はこの音声情報を携帯端末１に送信する。
したがって、コース上のプレーヤーに対して、マンツーマンでリアルタイムに、インストラクターが指導することができ、これによって、真にプレー技量の向上に結び付く。
【００８３】
また、プレーヤーはインストラクターによるプレーの指導や事後評価をリアルタイムで知ることができ、また、プレーヤーはインストラクターに質問できるので、さらなるプレー技量の向上に結び付く。
さらに、撮影手段２１を使った、間接指導を何回か受け、当該インストラクターが気に入ったら、例えば、ラウンド前に練習グリーンで直接指導を受けるなど（それ自体も予約する）、従来、とっつきにくかった（一部の特権階級のみ許されていた）ことも可能となる。その前提として、撮影手段２１による間接指導で生徒の数を増やし、それによって直接指導の料金を下げる効果によって、これが可能になる。
【００８４】
なお、本実施の形態では、情報カードを所有している顧客に対するサービス、つまり会員制のゴルフ場を前提としたサービスを例にとって説明したが、会員制ではないゴルフ場の場合でも適用できる。この場合、例えば、当サービス（ゴルフ情報システム）を導入しているゴルフ場間で共用のＩＣカード等の情報カードを作れば、この情報カードに、利用の都度、ユニークな顧客コードを書き込むことにより、外部端末４３に情報カードを読ませれば、当該顧客のプレー映像・指導情報を閲覧することが可能となる。
【００８５】
また、インストラクターは、必ずしも当該ゴルフ場にいる必要はなく、インターネット電話の仕組みやインターネットに接続できるパーソナルコンピュータを利用すれば、自宅での指導も可能となる。
【００８６】
さらに、ＩＣカード等の情報カードの利用履歴に、当該インストラクターの氏名・生年月日等、特定できる情報を記録しておけば、その情報を利用して、会員制、非会員制を問わず、複数のゴルフ場で、同一インストラクターの指導を受けることも可能となる。
【００８７】
【発明の効果】
以上説明したように、本発明によれば、プレーヤーのプレーを撮影手段によって容易かつ確実に撮影でき、撮影された映像の映像情報を情報端末がホストサーバに送信し、このホストサーバが、表示手段に映像を表示し、この映像を見たインストラクターによるプレーヤーへの指導内容を音声情報として、情報端末に送信し、この情報端末はこの音声情報を携帯端末に送信する。
したがって、コース上のプレーヤーに対して、マンツーマンでリアルタイムに、インストラクターが指導することができ、これによって、真にプレー技量の向上に結び付く。
また、プレーヤーはインストラクターによるプレーの指導や事後評価をリアルタイムで知ることができ、また、プレーヤーはインストラクターに質問できるので、さらなるプレー技量の向上に結び付く。
【図面の簡単な説明】
【図１】本発明のゴルフ情報システムの一例を示す図であって、携帯端末のブロック図である。
【図２】同、カートに設置されている情報端末のブロック図である。
【図３】同、ホストサーバのブロック図である。
【図４】同、ホストサーバのデータベースを示すブロック図である。
【図５】同、コース上にあるカート、撮影手段、コース撮影手段を示す模式図である。
【図６】同、ホストサーバにアクセスしてきた外部端末に表示される画面の一例を示す図である。
【符号の説明】
１  携帯端末
２  情報端末
３  ホストサーバ
６  ＧＰＳ受信機
７  音声入力手段
８  軌道／加速度センサ
９  撮影開始ボタン
１０  通信手段
１１  音声再生手段
１２  打数カウントボタン
２１  撮影手段
２２  撮影制御手段
２３  通信手段
２４  ＧＰＳ受信機
２５  記憶部
２６  印刷表示手段
２８  情報カード読取書込手段
３１  通信手段
３２  データベース
３３  表示手段
３４  音声再生手段
３５  音声入力手段
４０  コース撮影手段
４３  外部端末
４４  内部端末
Ｎ  インターネット（通信回線）
【図１】
2004274248.tif 000003
【図２】
2004274248.tif 000004
【図３】
2004274248.tif 000005
【図４】
2004274248.tif 000006
【図５】
2004274248.tif 000007
【図６】
2004274248.tif 000008